(57)【特許請求の範囲】
【請求項１】
撮像手段と、
静止画像が格納される記録媒体と、
静止画像を記憶する第１の記憶手段と、
画像を表示する表示手段と、
入力された映像信号に所定の信号処理を施して上記表示手段に供給する映像信号処理手段と、
上記表示手段で表示する画像を記憶する第２の記憶手段と、
上記記録媒体を介して静止画像の記録及び再生処理を行う記録再生手段と、
上記撮像手段、上記第１の記憶手段、映像信号処理手段及び記録再生手段が接続された信号切換手段と、
これらの動作を制御する制御手段とを備え、
上記制御手段は、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させる撮影準備モードの制御動作と、上記第２の記憶手段に記憶されている画像を読み出して上記表示手段に表示させ、上記撮像手段により得られる映像信号を上記記録媒体に格納する静止画像として上記信号切換手段を介して上記第１の記憶手段に記憶させ、上記第１の記憶手段に記憶させた静止画像を上記信号切換手段から上記記録再生手段を介して上記記録媒体に格納し、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させる記録モードの制御動作と、上記第２の記憶手段に記憶されている画像を読み出して上記表示手段に表示させ、上記記録媒体に格納に格納されている静止画を読み出して上記信号切換手段を介して上記第１の記憶手段に記憶させ、上記第１の記憶手段に記憶させた静止画を読み出して上記信号切換手段から上記映像信号処理手段を介して上記表示手段に供給して、上記表示手段に画像を表示させるとともに、上記表示手段に表示させた画像を上記第２の記憶手段に記憶させる再生モードの制御動作とを行い、
上記撮影準備モード、記録モード及び再生モードにおいて、上記映像信号処理手段に入力された映像信号を上記表示手段に供給して、上記表示手段に画像を表示させるとともに、上記表示手段に表示させた画像を上記第２の記憶手段に記憶させることを特徴とするカメラ装置。
【請求項２】
上記記録媒体は、着脱自在となされていることを特徴とする請求項１記載のカメラ装置。
【請求項３】
上記制御手段は、上記再生モードにおいて、上記記録媒体に格納された静止画像を上記第１の記憶手段に記憶して当該第１の記憶手段に記憶された静止画像を上記第２の記憶手段に記憶するとともに所定の期間毎に上記記録媒体に格納された静止画像を上記表示手段に順次出力するように制御することを特徴とする請求項１記載のカメラ装置。
【請求項４】
撮像手段と、静止画像を記憶する第１の記憶手段と、画像を表示する表示手段と、入力された映像信号に所定の信号処理を施して上記表示手段に供給する映像信号処理手段と、上記表示手段で表示する画像を記憶する第２の記憶手段と、静止画像が格納される記録媒体と、上記記録媒体を介して静止画像の記録及び再生処理を行う記録再生手段と、上記撮像手段、上記第１の記憶手段、映像信号処理手段及び記録再生手段が接続された信号切換手段と、これらの動作を制御する制御手段とを備えるカメラ装置の動作制御方法であって、
撮影準備モードでは、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させ、
記録モードでは、上記第２の記憶手段に記憶されている画像を読み出して上記表示手段に表示させ、上記撮像手段により得られる映像信号を上記記録媒体に格納する静止画像として上記信号切換手段を介して上記第１の記憶手段に記憶させ、上記第１の記憶手段に記憶させた静止画像を上記信号切換手段から上記記録再生手段を介して上記記録媒体に格納し、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させ、
再生モードでは、上記第２の記憶手段に記憶されている画像を読み出して上記表示手段に表示させ、上記記録媒体に格納に格納されている静止画を読み出して上記信号切換手段を介して上記第１の記憶手段に記憶させ、上記第１の記憶手段に記憶させた静止画を読み出して上記信号切換手段から上記映像信号処理手段を介して上記表示手段に供給して、上記表示手段に画像を表示させるとともに、上記表示手段に表示させた画像を上記第２の記憶手段に記憶させ、
上記撮影準備モード、記録モード及び再生モードにおいて、上記映像信号処理手段に入力された映像信号を上記表示手段に供給して、上記表示手段に画像を表示させるとともに、上記表示手段に表示させた画像を上記第２の記憶手段に記憶させることを特徴とするカメラ装置の動作制御方法。
【発明の詳細な説明】
【０００１】
【発明の属する技術分野】
本発明は、撮像した静止画像を表示モニタに表示する機能を有するカメラ装置及びその動作制御方法に関する。
【０００２】
【従来の技術】
一般的に、静止画像をＣＣＤイメージャで撮像して表示するカメラ装置において、例えばカードメモリやフロッピーディスク等の記録媒体に記録した静止画像を表示するときには、表示モニタに表示する静止画像を一旦記憶する画像メモリに読み込む処理を行う。そして、カメラ装置は、画像メモリに格納された静止画像を表示モニタに表示する。
【０００３】
【発明が解決しようとする課題】
しかし、上述したカメラ装置においては、画像メモリに格納された静止画像を表示している状態で記憶媒体に記憶された次の静止画像を表示すると、表示している静止画像から次の静止画像を表示するまでの間は表示画面には何も表示されないことになる。すなわち、上記カメラ装置で表示している静止画像から次の静止画像を表示するときには、記録媒体に格納された静止画像を一旦画像メモリに書き込む処理を終了しないと、次の静止画像を表示モニタには出力できず、表示している静止画像から次の静止画像を表示するのにある程度の時間を要することになる。したがって、上述したカメラ装置では、記録媒体から画像メモリに静止画像を書き込んでいる間はほとんど表示モニタには静止画像が表示されないことになる。
【０００４】
また、記録媒体に格納された複数の静止画像を自動的に次々と表示モニタに表示するときには、１枚目の静止画像を表示してから２枚目の静止画像を表示するまでの間は上述のように記録媒体から画像メモリに書き込むという処理を行う必要があり、各静止画像の容量が異なることにより画像メモリへの書き込み時間が一定ではなくなり、一定間隔で静止画像の表示を切り換えていくことが不可能であった。
【０００５】
そこで、本発明は、上述したような実情に鑑みて提案されたものであり、現在表示している静止画像から次の静止画像を表示するときに表示モニタに何も表示されない状態を回避することができるようにしたカメラ装置及びその動作制御方法を提供することを目的とする。
【０００６】
【課題を解決するための手段】
上述の課題を解決する本発明に係るカメラ装置は、撮像手段と、静止画像が格納される記録媒体と、静止画像を記憶する第１の記憶手段と、画像を表示する表示手段と、入力された映像信号に所定の信号処理を施して上記表示手段に供給する映像信号処理手段と、上記表示手段で表示する画像を記憶する第２の記憶手段と、上記記録媒体を介して静止画像の記録及び再生処理を行う記録再生手段と、上記撮像手段、上記第１の記憶手段、映像信号処理手段及び記録再生手段が接続された信号切換手段と、これらの動作を制御する制御手段とを備え、上記制御手段は、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させる撮影準備モードの制御動作と、上記第２の記憶手段に記憶されている画像を読み出して上記表示手段に表示させ、上記撮像手段により得られる映像信号を上記記録媒体に格納する静止画像として上記信号切換手段を介して上記第１の記憶手段に記憶させ、上記第１の記憶手段に記憶させた静止画像を上記信号切換手段から上記記録再生手段を介して上記記録媒体に格納し、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させる記録モードの制御動作と、上記第２の記憶手段に記憶されている画像を読み出して上記表示手段に表示させ、上記記録媒体に格納に格納されている静止画を読み出して上記信号切換手段を介して上記第１の記憶手段に記憶させ、上記第１の記憶手段に記憶させた静止画を読み出して上記信号切換手段から上記映像信号処理手段を介して上記表示手段に供給して、上記表示手段に画像を表示させるとともに、上記表示手段に表示させた画像を上記第２の記憶手段に記憶させる再生モードの制御動作とを行い、上記撮影準備モード、記録モード及び再生モードにおいて、上記映像信号処理手段に入力された映像信号を上記表示手段に供給して、上記表示手段に画像を表示させるとともに、上記表示手段に表示させた画像を上記第２の記憶手段に記憶させることを特徴とする。
【０００７】
このように構成された画像表示装置では、撮影準備モード、記録モード及び再生モードにおいて、映像信号処理手段に入力された映像信号を表示手段に供給して、上記表示手段に画像を表示させるとともに、上記表示手段に表示させた画像を上記第２の記憶手段に記憶させ、記録モード及び再生モードの開始時に、上記第２の記憶手段に記憶されている画像を読み出して上記表示手段に表示させる。
【０００８】
また、本発明は、撮像手段と、静止画像を記憶する第１の記憶手段と、画像を表示する表示手段と、入力された映像信号に所定の信号処理を施して上記表示手段に供給する映像信号処理手段と、上記表示手段で表示する画像を記憶する第２の記憶手段と、静止画像が格納される記録媒体と、上記記録媒体を介して静止画像の記録及び再生処理を行う記録再生手段と、上記撮像手段、上記第１の記憶手段、映像信号処理手段及び記録再生手段が接続された信号切換手段と、これらの動作を制御する制御手段とを備えるカメラ装置の動作制御方法であって、撮影準備モードでは、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させ、記録モードでは、上記第２の記憶手段に記憶されている画像を読み出して上記表示手段に表示させ、上記撮像手段により得られる映像信号を上記記録媒体に格納する静止画像として上記信号切換手段を介して上記第１の記憶手段に記憶させ、上記第１の記憶手段に記憶させた静止画像を上記信号切換手段から上記記録再生手段を介して上記記録媒体に格納し、上記撮像手段により得られる映像信号を上記信号切換手段から上記映像信号処理手段を介して上記表示手段に供給して、上記表示手段に画像を表示させるとともに、上記表示手段に表示させた画像を上記第２の記憶手段に記憶させ、再生モードでは、上記第２の記憶手段に記憶されている画像を読み出して上記表示手段に表示させ、上記記録媒体に格納に格納されている静止画を読み出して上記信号切換手段を介して上記第１の記憶手段に記憶させ、上記第１の記憶手段に記憶させた静止画を読み出して上記信号切換手段から上記映像信号処理手段を介して上記表示手段に供給して、上記表示手段に画像を表示させるとともに、上記表示手段に表示させた画像を上記第２の記憶手段に記憶させ、上記撮影準備モード、記録モード及び再生モードにおいて、上記映像信号処理手段に入力された映像信号を上記表示手段に供給して、上記表示手段に画像を表示させるとともに、上記表示手段に表示させた画像を上記第２の記憶手段に記憶させることを特徴とする。
【０００９】
このようなカメラ装置の動作制御方法では、撮影準備モード、記録モード及び再生モードにおいて、映像信号処理手段に入力された映像信号を表示手段に供給して、上記表示手段に画像を表示させるとともに、上記表示手段に表示させた画像を上記第２の記憶手段に記憶させ、記録モード及び再生モードの開始時に、上記第２の記憶手段に記憶されている画像を読み出して上記表示手段に表示させる。
【００１０】
【発明の実施の形態】
以下、本発明の実施の形態について図面を参照しながら詳細に説明する。
【００１１】
本発明が適用可能なカメラ装置１は、図１に示すように、静止画像や動画像を撮像して映像信号を生成する撮像部２と、動画像と静止画像を示す映像信号の出力方向を切り換える信号切換部３と、入力した映像信号に所定の信号処理を施す映像信号処理部４と、映像信号処理部４で所定の信号処理が施された映像信号が格納される映像信号処理用メモリ５と、動画像又は静止画像を表示する表示部６とを備える。
【００１２】
また、このカメラ装置１は、静止画像が格納される記録媒体７と、記録媒体７に静止画像の記録及び再生処理を行う記録再生部８と、記録媒体７から再生された静止画像に圧縮伸長処理を施す圧縮伸長処理部９と、圧縮伸長処理が施された静止画像を記憶する静止画像用メモリ１０とを備える。
【００１３】
更に、このカメラ装置１は、ユーザにより操作され操作信号を生成する操作入力部１１と、カメラ装置１を構成する上述した各部を制御する制御部１２と、制御部１２によりその内容が読み書きされる制御用メモリ１３とを備える。
【００１４】
撮像部２は、例えば固体撮像素子を備えたＣＣＤイメージャ等を備えてなり、入射した光に応じて映像信号を生成する。この撮像部２は、カメラ装置１の動作モードを示す制御部１２からの制御信号に応じて静止画像を示す映像信号又は動画像を示す映像信号を生成する。この撮像部２は、生成した映像信号を信号切換部３に出力する。
【００１５】
信号切換部３は、撮像部２からの映像信号が入力されるとともに、静止画像用メモリ１０から静止画像を示す映像信号が入力される。この信号切換部３は、制御部１２からの制御信号に応じて撮像部２からの映像信号を映像信号処理部４に出力するか、静止画像用メモリ１０からの映像信号を映像信号処理部４に出力するかを切り換える。
【００１６】
映像信号処理部４は、例えば表示部６で映像信号が示す動画像又は静止画像を表示するための処理、動画像の圧縮伸長処理等を行う。映像信号処理用メモリ５は、映像信号処理部４で所定の信号処理が施され、表示部６に表示するための映像信号が格納されている。
【００１７】
表示部６は、例えば液晶ディスプレイからなり、映像信号処理用メモリ５に格納された静止画像又は動画像を示す映像信号を表示する。
【００１８】
記録媒体７は、例えばカードメモリやフロッピーディスク等からなり、撮像部２で撮像した静止画像を示す映像信号が格納されている。また、この記録媒体７は、ユーザの便宜を図り、カメラ装置１の筐体からＰＣＭＣＩＡ（personal computer memory card international association）コネクタを介して着脱自在に接続されている。
【００１９】
記録再生部８は、記録媒体７に格納された静止画像を示す映像信号を読み出す再生処理や圧縮伸長処理部９で圧縮された映像信号を記録媒体７に記録する処理を行う。
【００２０】
圧縮伸長処理部９は、撮像部２で生成された静止画像を示す映像信号が信号切換部３を経由して入力され、当該映像信号に例えばＪＰＥＧ（joint photographic expert group）方式で圧縮処理を施す。この圧縮伸長処理部９は、操作入力部１１からの操作信号により指定された所定の圧縮率を示す制御信号に応じて圧縮処理を映像信号に施す。また、この圧縮伸長処理部９は、制御部１２から例えば静止画像を表示することを示す制御命令に応じて記録再生部８から入力された映像信号に伸長処理を施す。そして、この圧縮伸長処理部９は、伸長処理を施した映像信号を信号切換部３に出力する。
【００２１】
静止画像用メモリ１０は、圧縮伸長処理部９で伸長処理が施された静止画像を示す映像信号が信号切換部３を介して入力される。また、静止画像用メモリ１０は、格納された静止画像を示す映像信号が信号切換部３により適宜読み出される。
【００２２】
操作入力部１１は、例えばスイッチパネルや、キーボード等からなり、ユーザにより操作されることで操作信号を生成する。
【００２３】
制御部１２は、上述の撮像部２，信号切換部３，映像信号処理部４，圧縮伸長処理部９，記録再生部８の各部を制御する制御信号を生成し、これらの各部に当該制御信号を出力する。
【００２４】
撮像部２で生成した静止画像又は動画像を示す映像信号を表示部６に表示するとき、制御部１２は、撮像部２からの映像信号を信号切換部３から映像信号処理部４に入力させるように信号切換部３を制御する。そして、制御部１２は、映像信号を映像信号処理部４で所定の信号処理を施して圧縮伸長処理部９に入力させ、静止画像又は動画像を表示部６に表示させるように制御する。このとき、制御部１２は、映像信号処理部４で所定の信号処理が施された映像信号を表示部６に入力させるとともに、映像信号処理用メモリ５に書き込むように制御する。
【００２５】
また、制御部１２は、記録媒体７に格納された静止画像を示す映像信号を表示部６に表示するとき、例えば操作入力部１１からの操作信号に応じた静止画像を示す映像信号を読み出すように記録再生部８を制御し、所定の圧縮率で圧縮されている映像信号を伸長するように圧縮伸長処理部９を制御し、信号切換部３及び映像信号処理部４を制御することにより表示部６に映像信号を入力して静止画像を表示させる。
【００２６】
更に、制御部１２は、静止画像を記録媒体７に記録するときには、撮像部２で生成した映像信号を、信号切換部３から圧縮伸長処理部９に入力させるように信号切換部３を制御する。そして、制御部１２は、例えば操作入力部１１で指定された圧縮率で圧縮処理を施すように圧縮伸長処理部９を制御し、圧縮処理が施された映像信号を記録媒体７に記録するように記録再生部８を制御する。
【００２７】
このように構成されたカメラ装置１は、図２に示すように、ステップＳ１で操作入力部１１により動作モードを示す操作信号が制御部１２に入力され、ステップＳ２において制御部１２は、操作信号が示す動作モードの判定を行う。これにより、制御部１２は、撮影準備を行う旨の操作信号が入力されたと判定したときはステップＳ３に進み、静止画像を記録する旨の操作信号が入力されたと判定したときにはステップＳ４に進み、静止画像を表示する旨の操作信号が入力されたと判定したときにはステップＳ８に進む。
【００２８】
ステップＳ３において、制御部１２は、撮像部２で撮像した静止画像を示す映像信号を信号切換部３及び映像信号処理部４を介して表示部６に入力することにより静止画像を表示するとともに映像信号処理用メモリ５に当該静止画像を示す映像信号を書き込む処理を行って撮影準備が完了する。
【００２９】
ステップＳ４において、制御部１２は、映像信号処理用メモリ５に記憶された静止画像を示す映像信号を表示部６に入力して当該静止画像を表示させステップＳ５に進む。
【００３０】
ステップＳ５において、制御部１２は、表示部６に表示され操作入力部１１からの操作信号により指定された静止画像を示す映像信号を、信号切換部３を介して静止画像用メモリ１０に書き込むように信号切換部３を制御する。このとき、制御部１２は、映像信号を信号切換部３から映像信号処理部４へ出力するのを停止させるように信号切換部３を制御する。
【００３１】
ステップＳ６において、制御部１２は、ステップＳ５で静止画像用メモリ１０に記憶した静止画像を示す映像信号を、信号切換部３を制御することにより圧縮伸長処理部９に出力し、圧縮伸長処理部９で例えば操作入力部１１からの操作信号により指定された圧縮率で圧縮処理を行わせ、記録再生部８を制御することにより記録媒体７に記録させることにより、操作入力部１１により指定された静止画像を保存する。このとき、制御部１２は、撮像部２で撮像している画像の映像信号ではなく、映像信号処理用メモリ５に記憶されている静止画像を示す映像信号を表示部６に入力して当該静止画像を表示するように制御する。
【００３２】
ステップＳ７において、制御部１２は、信号切換部３及び映像信号処理部４を制御することにより、撮像部２で生成した映像信号を映像信号処理用メモリ５に書き込むとともに表示部６に出力し、映像信号が示す画像を表示する。
【００３３】
ステップＳ８において、制御部１２は、記録媒体７に記録された静止画像を再生するとき、映像信号処理用メモリ５に記憶されている静止画像を表示部６に出力するように制御して当該静止画像を表示させる。
【００３４】
ステップＳ９において、制御部１２は、記録媒体７に記録された画像を読み出すように記録再生部８を制御し、圧縮伸長処理部９で圧縮された映像信号を伸長処理させ、信号切換部３を制御することにより静止画像用メモリ１０に伸長処理が施された映像信号を記憶させるように制御する。
【００３５】
ステップＳ１０において、制御部１２は、静止画像用メモリ１０に記憶した静止画像を示す映像信号を、信号切換部３を制御することにより映像信号処理部４を介して映像信号処理用メモリ５に記録するとともに表示部６に出力して静止画像を表示する。このとき、表示部６に映像信号が入力されることにより、表示部６に表示されているステップＳ８で表示された静止画像から静止画像用メモリ１０に書き込まれた静止画像に表示が切り換えられる。
【００３６】
このようなカメラ装置１は、表示部６で表示する静止画像を示す映像信号を映像信号処理用メモリ５に記憶させ、静止画像用メモリ１０に記録媒体７から読み出している静止画像を示す映像信号を記憶するので、記録媒体７から映像信号を読み出している間であっても表示部６に静止画像を表示させ続けることができる。
【００３７】
次に、カメラ装置１で記録媒体７に記録された複数の静止画像を順次表示部６で表示する自動静止画送り（スライドショー）を行うときの制御部１２の処理について図３に示すフローチャートを用いて説明する。
【００３８】
カメラ装置１は、図３に示すように、ステップＳ２１において操作入力部１１により動作モードを示す操作信号が制御部１２に入力され、ステップＳ２２において制御部１２は、操作信号が示す動作モードの判定を行う。これにより、制御部１２は、スタンバイ状態とする旨の操作信号が入力されたと判定したときはステップＳ２３に進み、自動静止画送り処理を行う旨の操作信号が入力されたと判定したときにはステップＳ２４に進む。
【００３９】
ステップＳ２３において制御部１２は、記録媒体７から静止画像を示す映像信号を読み込むように記録再生部８を制御し、圧縮伸長処理部９、信号切換部３を制御して読み込んだ静止画像を静止画像用メモリ１０に書き込む。これにより、カメラ装置１は、操作入力部１１からの命令に応じて自動静止画送り処理を行うことができるスタンバイ状態となされる。
【００４０】
ここで、ステップＳ２４において、制御部１２は、タイマーをスタートさせ一定期間毎に後述するステップＳ２５〜ステップＳ２９で説明する処理を繰り返す。
【００４１】
ステップＳ２５において、制御部１２は、静止画像用メモリ１０に記憶されている静止画像を示す映像信号を読み込んで表示部６で静止画像を表示するように制御するとともに、信号切換部３から映像信号処理部４を介して映像信号処理用メモリ５に当該静止画像を示す映像信号を記憶させる。
【００４２】
ステップＳ２６において、制御部１２は、上述のステップＳ２５において映像信号処理用メモリ５に記憶させた静止画像を読み出して表示部６に入力する制御を行うことで、表示部６に静止画像を表示させる。
【００４３】
ステップＳ２７において、制御部１２は、記録媒体７から次に表示部６で表示する静止画像を示す映像信号を記録再生部８により読み込み、信号切換部３を介して静止画像用メモリ１０に記憶するように制御する。
【００４４】
ステップＳ２８において、制御部１２は、ステップＳ１２でタイマーをスタートさせた時点から上記一定期間が経過したか否かを判断する。そして、制御部１２は、一定期間が経過していないと判断したときには一定期間が経過するまで待機状態となり、一定期間が経過したと判断したときにはステップＳ１６に進む。
【００４５】
ステップＳ２９において、制御部１２は、記録媒体７に記録された全ての静止画像について表示したか否かを判断する。そして、制御部１２は、記録媒体７に記録されている全ての静止画像について表示したと判断したときには自動静止画送り処理を終了し、全ての静止画像について表示していないと判断したときにはステップＳ２５に戻ることになる。これにより、制御部１２は、記録媒体７に記録された静止画像を一定期間表示部６で表示する。
【００４６】
そして、次の静止画像を表示するときには、ステップＳ２５において、上述のステップＳ２７で既に静止画像用メモリ１０へ記憶しておいた静止画像を示す映像信号を表示部６に表示することにより、映像信号処理用メモリ５に記憶されていた前の静止画像から次の静止画像へと表示を切り換える。このとき、映像信号処理用メモリ５に記憶された映像信号の内容を前の静止画像から次の静止画像へと書き換える。
【００４７】
したがって、このような処理を行う制御部１２を備えたカメラ装置１は、表示部６に表示する静止画像を示す映像信号を映像信号処理用メモリ５に記憶し、次に表示する静止画像を示す映像信号を静止画像用メモリ１０に記憶しておくので、自動静止画送り処理において前の静止画像から次の静止画像へと表示を切り換えるときでも、次の静止画像を表示する間に何も表示されないという状態を回避することができる。
【００４８】
また、このカメラ装置１によれば、例えば記録媒体７に記憶された複数の静止画像の容量が異なり各静止画像の読み込み時間が異なる場合であっても、前の静止画像を表示している間に次の静止画像を記録媒体７から読み込んで静止画像用メモリ１０に記憶しておく処理を行うことができるので、一定時間毎に各静止画像を順次表示することができる。
【００４９】
なお、上述のカメラ装置１が行う自動静止画送り処理の説明においては、ステップＳ１６において全ての静止画像を表示部６で表示したかを判断して処理を終了する一例について説明したが、一番最初に表示した静止画像を表示して終了するように処理しても良く、更には、操作入力部１１からの操作信号に応じて処理中止又は一時停止を行えるようにしても良い。
【００５０】
また、上述のカメラ装置１が行う自動静止画送り処理の説明においては、時間的に最初に記録媒体７に記憶した静止画像から表示部６で表示する処理の一例について説明したが、操作入力部１１からの操作命令により指定された静止画像から自動静止画送り処理を開始するようにしても良く、更には制御用メモリ１３に格納されたプログラム等を用いて記録媒体７に記憶された静止画像を示す映像信号を任意の順序で表示させても良い。
【００５１】
【発明の効果】
以上詳細に説明したように、本発明に係るカメラ装置では、撮影準備モード、記録モード及び再生モードにおいて、映像信号処理手段に入力された映像信号を表示手段に供給して、表示手段に画像を表示させるとともに、上記表示手段に表示させた画像を第２の記憶手段に記憶させ、記録モード及び再生モードの開始時に、上記第２の記憶手段に記憶されている画像を読み出して上記表示手段に表示させるので、記録モードにおいて、撮像手段により得られる映像信号を記録媒体に格納する静止画像として信号切換手段を介して第１の記憶手段に記憶させ、上記第１の記憶手段に記憶させた静止画像を上記信号切換手段から記録再生手段を介して上記記録媒体に格納する際にも、撮影準備モードで上記第２の記憶手段に記憶されている画像を読み出して上記表示手段に表示させることにより、静止画像を表示し続けることができ、現在表示している静止画像から次の静止画像を表示するときに上記表示手段に何も表示されない状態を回避することができ、また、再生モードにおいて、上記記録媒体から静止画像を第１の記憶手段に読み出して表示手段で表示するとき、上記第１の記憶手段に記憶された静止画像を上記表示手段に出力するとともに第２の記憶手段に記憶させることで、上記記録媒体から第１の記憶手段に次の静止画像を書き込んでいる間であっても、上記第２の記憶手段に記憶されている静止画像を読み出して上記表示手段に表示させることができ、現在表示している静止画像から次の静止画像を表示するときに上記表示手段に何も表示されない状態を回避することができる。
【００５２】
また、本発明に係るカメラ装置の動作制御方法では、撮影準備モード、記録モード及び再生モードにおいて、映像信号処理手段に入力された映像信号を表示手段に供給して、上記表示手段に画像を表示させるとともに、上記表示手段に表示させた画像を上記第２の記憶手段に記憶させ、記録モード及び再生モードの開始時に、上記第２の記憶手段に記憶されている画像を読み出して上記表示手段に表示させるので、記録モードにおいて、撮像手段により得られる映像信号を記録媒体に格納する静止画像として信号切換手段を介して第１の記憶手段に記憶させ、上記第１の記憶手段に記憶させた静止画像を上記信号切換手段から記録再生手段を介して上記記録媒体に格納する際にも、撮影準備モードで第２の記憶手段に記憶されている画像を読み出して表示手段に表示させることにより、静止画像を表示し続けることができ、現在表示している静止画像から次の静止画像を表示するときに表示モニタに何も表示されない状態を回避することができ、また、再生モードにおいて、再生モードにおいて、上記記録媒体から静止画像を第１の記憶手段に読み出して表示手段で表示するとき、上記第１の記憶手段に記憶された静止画像を上記表示手段に出力するとともに第２の記憶手段に記憶させることで、上記記録媒体から第１の記憶手段に次の静止画像を書き込んでいる間であっても、上記第２の記憶手段に記憶されている静止画像を読み出して上記表示手段に表示させることができ、現在表示している静止画像から次の静止画像を表示するときに上記表示手段に何も表示されない状態を回避することができる。
【図面の簡単な説明】
【図１】本発明を適用したカメラ装置を示すブロック図である。
【図２】本発明を適用したカメラ装置に備えられる制御部で撮影準備、静止画像の記録、静止画像の再生を行うときの処理を示すフローチャートである。
【図３】本発明を適用したカメラ装置に備えられる制御部で自動静止画送り処理を行うときフローチャートである。
【符号の説明】
１  カメラ装置、５  映像信号処理用メモリ、６  表示部、７  記録媒体、１０静止画像用メモリ
【図１】
0004218079.tif 000002
【図２】
0004218079.tif 000003
【図３】
0004218079.tif 000004